(57)【要約】【課題】  受信状態の変化に容易に対応できるアンテナ装置を提供する。【解決手段】  アンテナ装置１０は、電波をＬＮＢコンバータ５１に向けて反射するアンテナ装置である。アンテナ装置１０は、反射面１２ａを有するディッシュ部１２と、ディッシュ部１２に固定される別体ディッシュ部１５とを備える。別体ディッシュ部１５は、反射面１２ａの周縁に沿って延在し、反射面１２ａを拡張する反射面１５ａを有する。【選択図】        図１
2006067167.tif 000002
【特許請求の範囲】
【請求項１】
電波をコンバータに向けて反射するアンテナ装置であって、
第１の反射面を有するディッシュ部と、
前記第１の反射面の周縁に沿って延在し、前記第１の反射面を拡張する第２の反射面を有し、前記ディッシュ部に固定される別体ディッシュ部とを備える、アンテナ装置。
【請求項２】
前記別体ディッシュ部は、前記ディッシュ部に対して着脱自在に設けられている、請求項１に記載のアンテナ装置。
【請求項３】
前記ディッシュ部および前記別体ディッシュ部には、前記第１および第２の反射面の裏面よりビス止めされる着脱板が設けられている、請求項２に記載のアンテナ装置。
【請求項４】
前記ディッシュ部および前記別体ディッシュ部のいずれか一方には、前記第１または第２の反射面の裏面より突出する突出部が形成されており、前記ディッシュ部および前記別体ディッシュ部のいずれか他方には、前記第１または第２の反射面の裏面に位置して、前記突出部に係止される引っ掛け部材が取り付けられている、請求項２または３に記載のアンテナ装置。
【請求項５】
前記ディッシュ部および前記別体ディッシュ部のいずれか一方には、前記第１の反射面の周縁またはその周縁に向い合う前記第２の反射面の周縁から突出する鍔部が形成されており、前記ディッシュ部および前記別体ディッシュ部のいずれか他方には、前記第１の反射面の周縁またはその周縁に向い合う前記第２の反射面の周縁に位置して、横孔が形成されており、
前記鍔部が、前記横孔に挿入され、スライド移動されることによって、前記横孔内に係止された状態となる、請求項２から４のいずれか１項に記載のアンテナ装置。
【請求項６】
前記別体ディッシュ部は、前記第２の反射面の面積が異なる複数種類が準備されている、請求項２から５のいずれか１項に記載のアンテナ装置。
【請求項７】
前記第２の反射面には、全面に渡って複数の孔が形成されている、請求項１から６のいずれか１項に記載のアンテナ装置。
【請求項８】
前記ディッシュ部と前記コンバータとを連結するアーム部をさらに備え、
前記別体ディッシュ部には、前記別体ディッシュ部を前記ディッシュ部に取り付ける際に、前記アーム部を通すための切欠き部が形成されている、請求項１から７のいずれか１項に記載のアンテナ装置。
【発明の詳細な説明】
【技術分野】
【０００１】
この発明は、一般的には、アンテナ装置に関し、より特定的には、放送衛星や通信衛星などからの電波を受信するアンテナ装置に関する。
【背景技術】
【０００２】
図１１は、従来のアンテナ装置を示す側面図である。図１２は、図１１中のアンテナ装置のディッシュ部を示す正面図である。図１１および図１２を参照して、従来のアンテナ装置は、反射面１１２ａを有するディッシュ部１１２と、アームを介してディッシュ部１１２に固定されたＬＮＢ（Low Noise Block-down）コンバータ１５１とを備える。放送衛星や通信衛星などから発信された電波は、反射面１１２ａで反射され、ＬＮＢコンバータ１５１のフィードホーンへと集められる。このようなアンテナ装置では、ディッシュ部１１２とＬＮＢコンバータ１５１のフィードホーンとの形状が、１対１の関係で特性が得られるように最適化されている。
【０００３】
また、特開昭５８−５００３号公報には、水平、垂直両方向に設置可能なアンテナ装置が開示されている（特許文献１）。特許文献１に開示されたアンテナ装置は、設置条件別に方位角が調整される１枚物の反射鏡を備える。
【特許文献１】特開昭５８−５００３号公報
【発明の開示】
【発明が解決しようとする課題】
【０００４】
電波の受信状態は、アンテナ装置が設置される場所等によって大きく異なる。このため、図１１および図１２中に示すアンテナ装置において、ディッシュ部１１２やＬＮＢコンバータ１５１の最適な形状は、その時々で変化する。たとえば、北海道や沖縄など日本列島の両端では、受信状態が悪くなる。このため、受信状態を良くするために、ＬＮＢコンバータ１５１を性能の良いものに変更したり、ディッシュ部１１２ごとサイズの大きいものに交換したりすることで対応している。しかし、このような対応は、ユーザーに経済的な負担や手間を強いることになり、また生産上の無駄が生じることにもなる。
【０００５】
そこでこの発明の目的は、上記の課題を解決することであり、受信状態の変化に容易に対応できるアンテナ装置を提供することである。
【課題を解決するための手段】
【０００６】
この発明に従ったアンテナ装置は、電波をコンバータに向けて反射するアンテナ装置である。アンテナ装置は、第１の反射面を有するディッシュ部と、そのディッシュ部に固定される別体ディッシュ部とを備える。別体ディッシュ部は、第１の反射面の周縁に沿って延在し、第１の反射面を拡張する第２の反射面を有する。
【０００７】
このように構成されたアンテナ装置によれば、受信状態が良い時は、別体ディッシュ部をディッシュ部から取り外し、電波を第１の反射面のみで反射する。また、受信状態の悪い時は、別体ディッシュ部をディッシュ部に固定し、電波を第１および第２の反射面で反射して、受信状態を向上させる。このように別体ディッシュ部を設けることで、受信状態の変化に容易に対応するとともに、ディッシュ部やコンバータの統一化を図ることができる。
【０００８】
また好ましくは、別体ディッシュ部は、ディッシュ部に対して着脱自在に設けられている。このように構成されたアンテナ装置によれば、受信状態に応じて、その都度、別体ディッシュ部を着脱することができる。このため、受信状態の変化にさらに容易に対応することができる。
【０００９】
また好ましくは、ディッシュ部および別体ディッシュ部には、第１および第２の反射面の裏面よりビス止めされる着脱板が設けられている。このように構成されたアンテナ装置によれば、ディッシュ部と別体ディッシュ部とを確実に固定するとともに、別体ディッシュ部の着脱時の作業性を向上させることができる。
【００１０】
また好ましくは、ディッシュ部および別体ディッシュ部のいずれか一方には、第１または第２の反射面の裏面より突出する突出部が形成されている。ディッシュ部および別体ディッシュ部のいずれか他方には、第１または第２の反射面の裏面に位置して、突出部に係止される引っ掛け部材が取り付けられている。このように構成されたアンテナ装置によれば、ディッシュ部と別体ディッシュ部とを確実に固定するとともに、別体ディッシュ部の着脱時の作業性を向上させることができる。また、両者を固定するための突出部および引っ掛け部材が、ディッシュ部または別体ディッシュ部に形成されているため、アンテナ装置の部品点数を少なくできる。
【００１１】
また好ましくは、ディッシュ部および別体ディッシュ部のいずれか一方には、第１の反射面の周縁またはその周縁に向い合う第２の反射面の周縁から突出する鍔部が形成されている。ディッシュ部および別体ディッシュ部のいずれか他方には、第１の反射面の周縁またはその周縁に向い合う第２の反射面の周縁に位置して、横孔が形成されている。鍔部が、横孔に挿入され、スライド移動されることによって、鍔部は、横孔内に係止された状態となる。このように構成されたアンテナ装置によれば、ディッシュ部と別体ディッシュ部とを確実に固定するとともに、別体ディッシュ部の着脱時の作業性を向上させることができる。また、両者を固定するための鍔部および横孔が、ディッシュ部または別体ディッシュ部に形成されているため、アンテナ装置の部品点数を少なくできる。
【００１２】
また好ましくは、別体ディッシュ部は、第２の反射面の面積が異なる複数種類が準備されている。このように構成されたアンテナ装置によれば、受信状態に応じて、最適な広さの第２の反射面を有する別体ディッシュ部をディッシュ部に設けることができる。これにより、受信状態の変化に広く対応することができる。
【００１３】
また好ましくは、第２の反射面には、全面に渡って複数の孔が形成されている。このように構成されたアンテナ装置によれば、風を受けた時にアンテナ装置へかかる負荷を低減させることができる。
【００１４】
また好ましくは、アンテナ装置は、ディッシュ部とコンバータとを連結するアーム部をさらに備える。別体ディッシュ部には、別体ディッシュ部をディッシュ部に取り付ける際に、アーム部を通すための切欠き部が形成されている。このように構成されたアンテナ装置によれば、別体ディッシュ部との干渉を避けるように切欠き部が形成されているため、別体ディッシュ部の着脱時の作業性を向上させることができる。
【発明の効果】
【００１５】
以上説明したように、この発明に従えば、受信状態の変化に容易に対応できるアンテナ装置を提供することができる。
【発明を実施するための最良の形態】
【００１６】
この発明の実施の形態について、図面を参照して説明する。
【００１７】
（実施の形態１）
図１は、この発明の実施の形態１におけるアンテナ装置を示す側面図である。図２は、図１中のアンテナ装置のディッシュ部を示す正面図である。図１および図２を参照して、アンテナ装置１０は、屋外に設置されており、放送衛星や通信衛星などから発信された電波を受信する。アンテナ装置１０は、固定用ポール１７に支持されたディッシュ部１２と、ディッシュ部１２に固定された別体ディッシュ部１５とを備える。別体ディッシュ部１５は、接着剤によってディッシュ部１２に固定されている。
【００１８】
ディッシュ部１２は、放物曲面を構成する反射面１２ａと、反射面１２ａの反対側に位置する裏面１２ｂとを有する。別体ディッシュ部１５は、反射面１２ａの周りで環状に延在し、反射面１２ａから連続して放物曲面を構成する反射面１５ａと、反射面１５ａの反対側に位置する裏面１５ｂとを有する。反射面１５ａは、反射面１２ａが半径方向に広がって拡張されるように、反射面１２ａから連なって形成されている。
【００１９】
固定用ポール１７は、ディッシュ部１２の裏面１２ｂに接続されている。アーム１８は、固定用ポール１７から別体ディッシュ部１５の周縁の傍を通り、さらに、反射面１５ａから遠ざかる方向に延びて形成されている。アンテナ装置１０は、アーム１８の先端に取り付けられ、反射面１２ａおよび１５ａの前方であって、これらの反射面から距離を隔てた位置に位置決めされたＬＮＢコンバータ５１をさらに備える。
【００２０】
ＬＮＢコンバータ５１の内部には、基板が設けられており、その基板には、電波の周波数を変換する受信回路が形成されている。ＬＮＢコンバータ５１は、同軸ケーブル５３を介して、屋内に設置されたチューナ５４およびテレビジョン画像機５５に接続されている。放送衛星や通信衛星などから発信された電波は、まず、反射面１２ａおよび１５ａによって反射され、ＬＮＢコンバータ５１のフィードホーンに集められる。電波は、ＬＮＢコンバータ５１で周波数変換され、これによって得られた信号が、同軸ケーブル５３を通ってチューナ５４へと伝達される。そして、信号を受けたチューナ５４の出力によって、テレビジョン画像機５５に映像が表示される。
【００２１】
この発明の実施の形態１におけるアンテナ装置１０は、電波をコンバータとしてのＬＮＢコンバータ５１に向けて反射するアンテナ装置である。アンテナ装置１０は、第１の反射面としての反射面１２ａを有するディッシュ部１２と、ディッシュ部１２に固定される別体ディッシュ部１５とを備える。別体ディッシュ部１５は、反射面１２ａの周縁に沿って延在し、反射面１２ａを拡張する第２の反射面としての反射面１５ａを有する。
【００２２】
このように構成された、この発明の実施の形態１におけるアンテナ装置１０によれば、別体ディッシュ部１５を設けることによって、電波を反射する反射面の面積を、反射面１２ａの面積から反射面１５ａの分だけ増大させることができる。この場合、ディッシュ部１２のみで受信する場合と比較して、アンテナ装置１０の受信状態を向上させることができる。このため、受信状態が良い場合には、別体ディッシュ部１５を設けず、ディッシュ部１２のみで受信し、受信状態が悪い場合には、別体ディッシュ部１５を設け、ディッシュ部１２および別体ディッシュ部１５の両方で受信する。
【００２３】
このように本実施の形態では、ディッシュ部１２に別体ディッシュ部１５を設けることで、受信状態を向上させることができる。このため、ディッシュ部１２の全体を、大きい別のディッシュ部と交換する場合と比較して、受信状態の変化に容易に対応することができる。また、ベースとなるディッシュ部１２に関しては、形状の統一化を図ることができる。このため、異なる大きさのディッシュ部１２を複数、製作する場合と比較して、生産ロスを低減させることができる。
【００２４】
なお、反射面１２ａの直径は、たとえば、４５ｃｍであり、反射面１２ａの半径方向における反射面１５ａの幅は、たとえば、１０ｃｍである。しかしながら、ディッシュ部１２および別体ディッシュ部１５の大きさは、これに限定されず、受信状態に合わせて適宜変更されても良い。たとえば、アンテナ装置１０の仕向け地が、受信状態の著しく悪い地域である場合には、別体ディッシュ部１５を、１０ｃｍよりも大きい幅に形成しておけば良い。
【００２５】
（実施の形態２）
本実施の形態におけるアンテナ装置は、実施の形態１におけるアンテナ装置１０と比較して、基本的には同様の構造を備える。また、本実施の形態におけるアンテナ装置は、図１および図２に示す外観と同様の外観を備える。以下、重複する構造については説明を繰り返さない。
【００２６】
ディッシュ部１２および別体ディッシュ部１５は、ディッシュ部１２の外径が、別体ディッシュ部１５の内径よりも若干大きくなるように形成されている。別体ディッシュ部１５は、ディッシュ部１２に圧入されることによって固定される。このような構成により、別体ディッシュ部１５は、ディッシュ部１２に対して着脱自在に設けられている。
【００２７】
このように構成された、この発明の実施の形態２におけるアンテナ装置によれば、実施の形態１に記載の効果と同様の効果を得ることができる。加えて、本実施の形態では、別体ディッシュ部１５が着脱自在に設けられている。このため、ユーザーは、その時々の受信状態に合わせて、別体ディッシュ部１５を自由に着脱することができる。
【００２８】
（実施の形態３）
図３は、この発明の実施の形態３におけるアンテナ装置を示す背面図である。本実施の形態におけるアンテナ装置は、実施の形態１におけるアンテナ装置と比較して、基本的には同様の構造を備える。以下、重複する構造については説明を繰り返さない。
【００２９】
図３を参照して、本実施の形態では、別体ディッシュ部１５をディッシュ部１２に固定するプレート２１が設けられている。プレート２１は、裏面１２ｂの周縁に沿った複数個所に、所定の角度ごとに設けられている。プレート２１の両端は、ビス２２により、ディッシュ部１２の裏面１２ｂおよび別体ディッシュ部１５の裏面１５ｂにそれぞれ締結されている。このような構成により、別体ディッシュ部１５は、ディッシュ部１２に対して着脱自在に設けられている。
【００３０】
このように構成された、この発明の実施の形態３におけるアンテナ装置によれば、実施の形態２に記載の効果と同様の効果を得ることができる。加えて、別体ディッシュ部１５をディッシュ部１２に対して、より確実に固定することができる。
【００３１】
（実施の形態４）
図４は、この発明の実施の形態４におけるアンテナ装置を示す背面図である。図５は、図４中のＶ−Ｖ線上に沿ったアンテナ装置を示す断面図である。本実施の形態におけるアンテナ装置は、実施の形態１におけるアンテナ装置と比較して、基本的には同様の構造を備える。以下、重複する構造については説明を繰り返さない。
【００３２】
図４および図５を参照して、本実施の形態では、ディッシュ部１２に突出部２６が形成され、別体ディッシュ部１５に引っ掛け部２５が設けられている。突出部２６は、裏面１２ｂから突出するように、裏面１２ｂの周縁に沿った複数箇所に所定の角度ごとに形成されている。引っ掛け部２５は、略Ｃ字状の形状を有し、その形状の両端が裏面１５ｂに揺動自在に連結されている。引っ掛け部２５は、裏面１５ｂの内周側の周縁に沿った複数箇所に、突出部２６に対峙するように設けられている。
【００３３】
引っ掛け部２５を、裏面１５ｂに連結された位置を支点に裏面１２ｂ側に揺動させると、引っ掛け部２５が突出部２６に係止される。これにより、別体ディッシュ部１５がディッシュ部１２に固定される。このような構成により、別体ディッシュ部１５は、ディッシュ部１２に対して着脱自在に設けられている。なお、ディッシュ部１２に引っ掛け部２５が設けられ、別体ディッシュ部１５に突出部２６が形成されていても良い。
【００３４】
このように構成された、この発明の実施の形態４におけるアンテナ装置によれば、実施の形態３に記載の効果と同様の効果を得ることができる。
【００３５】
（実施の形態５）
図６は、この発明の実施の形態５におけるアンテナ装置を示す背面図である。図７は、図６中のアンテナ装置で、別体ディッシュ部をディッシュ部に組み付ける工程を示す側面図である。図７には、図６中の矢印ＶＩＩから見たアンテナ装置の様子が示されている。本実施の形態におけるアンテナ装置は、実施の形態１におけるアンテナ装置と比較して、基本的には同様の構造を備える。以下、重複する構造については説明を繰り返さない。
【００３６】
図６および図７を参照して、ディッシュ部１２は、反射面１２ａから裏面１２ｂへと連なり、これらの表面の周縁に沿って環状に延在する外周面１２ｃをさらに有する。別体ディッシュ部１５は、反射面１５ａから裏面１５ｂへと連なり、これらの表面の内周側の周縁に沿って環状に延在する内周面１５ｃをさらに有する。
【００３７】
本実施の形態では、ディッシュ部１２に横孔３１が形成され、別体ディッシュ部１５に鍔部３２が形成されている。鍔部３２は、内周面１５ｃから突出するように、内周面１５ｃの周方向に沿った複数箇所に所定の角度ごとに形成されている。横孔３１は、外周面１２ｃの周方向に沿った複数箇所に開口し、鍔部３２に対峙するように形成されている。横孔３１は、裏面１２ｂから所定の深さで裏面１２ｂに平行に延在している。横孔３１は、その延在する方向の一方端で、裏面１２ｂに向かって延び、裏面１２ｂに開口している。
【００３８】
別体ディッシュ部１５をディッシュ部１２に組み付ける際には、裏面１２ｂに開口する横孔３１の位置から、鍔部３２を横孔３１内に挿入する。その後、別体ディッシュ部１５をディッシュ部１２に対して周方向にスライド移動させ、横孔３１が延在する方向に、横孔３１内で鍔部３２をずらす。これにより、鍔部３２が横孔３１内に係止された状態となり、別体ディッシュ部１５がディッシュ部１２に固定される。このような構成により、別体ディッシュ部１５は、ディッシュ部１２に対して着脱自在に設けられている。なお、ディッシュ部１２に鍔部３２が形成され、別体ディッシュ部１５に横孔３１が形成されていても良い。
【００３９】
このように構成された、この発明の実施の形態５におけるアンテナ装置によれば、実施の形態３に記載の効果と同様の効果を得ることができる。
【００４０】
（実施の形態６）
図８（Ａ）および（Ｂ）は、この発明の実施の形態６におけるアンテナ装置を示す正面図である。本実施の形態におけるアンテナ装置は、実施の形態１におけるアンテナ装置と比較して、基本的には同様の構造を備える。以下、重複する構造については説明を繰り返さない。
【００４１】
図８（Ａ）および（Ｂ）を参照して、本実施の形態では、ひとつのディッシュ部１２に対して、相対的に狭い反射面１５ａを有する別体ディッシュ部１５と、相対的に広い反射面１５ａ´を有する別体ディッシュ部１５´とが準備されている。つまり、反射面１２ａの半径方向の幅が異なる反射面１５ａおよび反射面１５ａ´をそれぞれ有する別体ディッシュ部１５および１５´が準備されている。別体ディッシュ部１５は、受信状態の悪い地域であっても比較的受信しやすい場合に用いられ、別体ディッシュ部１５´は、受信状態の悪い地域であって特に受信しにくい場合に用いられる。
【００４２】
このように構成された、この発明の実施の形態６におけるアンテナ装置によれば、実施の形態１に記載の効果と同様の効果を得ることができる。加えて、本実施の形態では、受信状態の幅広い変化に対応できるため、アンテナ装置の利便性を向上させることができる。
【００４３】
（実施の形態７）
図９は、この発明の実施の形態７におけるアンテナ装置を示す正面図である。本実施の形態におけるアンテナ装置は、実施の形態１におけるアンテナ装置と比較して、基本的には同様の構造を備える。以下、重複する構造については説明を繰り返さない。
【００４４】
図９を参照して、本実施の形態では、別体ディッシュ部１５の反射面１５ａの全体に渡って、円形状の孔３６が複数、形成されている。ディッシュ部１２には、孔３６が形成されていない。なお、孔３６の形状は、楕円形や多角形など適当な形状であっても良い。
【００４５】
このように構成された、この発明の実施の形態７におけるアンテナ装置によれば、実施の形態１に記載の効果と同様の効果を得ることができる。また、屋外に設置されるアンテナ装置では、別体ディッシュ部１５を設けた場合に反射面の面積が増大するため、風の影響が大きくなる。そこで、本実施の形態では、反射面１５ａに孔３６を形成することで、この風に対する強度対策を行なうことができる。
【００４６】
（実施の形態８）
図１０は、この発明の実施の形態８におけるアンテナ装置を示す正面図である。本実施の形態におけるアンテナ装置は、実施の形態１におけるアンテナ装置と比較して、基本的には同様の構造を備える。以下、重複する構造については説明を繰り返さない。
【００４７】
図１０を参照して、本実施の形態では、アンテナ装置を正面から見て、固定用ポール１７およびアーム１８に重なる別体ディッシュ部１５の位置に、切欠き部４１が形成されている。切欠き部４１は、反射面１５ａの内周側の周縁から外周側の周縁にまで達して形成されている。
【００４８】
このように構成された、この発明の実施の形態８におけるアンテナ装置によれば、実施の形態１に記載の効果と同様の効果を得ることができる。加えて、切欠き部４１を形成することによって、別体ディッシュ部１５をディッシュ部１２に対して、反射面１２ａ側および裏面１２ｂ側のいずれの方向からも、組み付けることができる。これにより、別体ディッシュ部１５をディッシュ部１２に組み付ける際の作業性を向上させることができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】この発明の実施の形態１におけるアンテナ装置を示す側面図である。
【図２】図１中のアンテナ装置のディッシュ部を示す正面図である。
【図３】この発明の実施の形態３におけるアンテナ装置を示す背面図である。
【図４】この発明の実施の形態４におけるアンテナ装置を示す背面図である。
【図５】図４中のＶ−Ｖ線上に沿ったアンテナ装置を示す断面図である。
【図６】この発明の実施の形態５におけるアンテナ装置を示す背面図である。
【図７】図６中のアンテナ装置で、別体ディッシュ部をディッシュ部に組み付ける工程を示す側面図である。
【図８】この発明の実施の形態６におけるアンテナ装置を示す正面図である。
【図９】この発明の実施の形態７におけるアンテナ装置を示す正面図である。
【図１０】この発明の実施の形態８におけるアンテナ装置を示す正面図である。
【図１１】従来のアンテナ装置を示す側面図である。
【図１２】図１１中のアンテナ装置のディッシュ部を示す正面図である。
【符号の説明】
【００５１】
１０  アンテナ装置、１２  ディッシュ部、１２ａ，１５ａ，１５ａ´  反射面、１５，１５´  別体ディッシュ部、１８  アーム、２１  プレート、２５  引っ掛け部、２６  突出部、３１  横孔、３２  鍔部、３６  孔、４１  切欠き部、５１  ＬＮＢコンバータ。
【図１】
2006067167.tif 000003
【図２】
2006067167.tif 000004
【図３】
2006067167.tif 000005
【図４】
2006067167.tif 000006
【図５】
2006067167.tif 000007
【図６】
2006067167.tif 000008
【図７】
2006067167.tif 000009
【図８】
2006067167.tif 000010
【図９】
2006067167.tif 000011
【図１０】
2006067167.tif 000012
【図１１】
2006067167.tif 000013
【図１２】
2006067167.tif 000014